(57)【要約】【課題】この発明はパレット上に物品を確実に固定することができるようにした物品の搬送装置を提供することにある。【解決手段】  パレット１の上面に所定方向に沿って設けられた一対の第１のレール部材３と、上面をパレットの上面に対向させた重合状態と一端部を支点として他端がパレットの上面よりも低く傾斜する傾斜状態との間で回動するスロープ部材１６と、スロープ部材を傾斜状態に回動させたときに一対の第１のレール部材に一端が対向位置する一対の第２のレール部材２１と、スロープ部材をほぼ垂直に起立させた状態で、このスロープ部材をパレットに連結して回動不能に保持する連結杆２３とを具備し、物品は、スロープ部材が傾斜した状態でキャスタによって走行させて第２のレール部材から第１のレール部材に載せられた後、ほぼ垂直に起立させて保持されたスロープ部材にベルトで固定される。【選択図】      図１
2005271953.tif 000002
【特許請求の範囲】
【請求項１】
キャスタ付きの物品を搬送するための物品の搬送装置において、
パレットと、
このパレットの上面に所定方向に沿って設けられた一対の第１のレール部材と、
一端部が上記パレットの所定方向の一端部に回動可能に連結され上面を上記パレットの上面に対向させた重合状態と上記一端部を支点として他端がパレットの上面よりも低く傾斜する傾斜状態との間で回動するスロープ部材と、
このスロープ部材の上面に設けられスロープ部材を傾斜状態に回動させたときに上記一対の第１のレール部材に一端が対向位置する一対の第２のレール部材と、
上記スロープ部材をほぼ垂直に起立させた状態で、このスロープ部材を上記パレットに連結して回動不能に保持する連結手段とを具備し、
上記物品は、上記スロープ部材が傾斜した状態で上記キャスタによって走行させて第２のレール部材から第１のレール部材に載せられた後、ほぼ垂直に起立させて保持された上記スロープ部材に梱包材によって固定されることを特徴とする物品の搬送装置。
【請求項２】
上記第１のレール部材は、上面に開放した収容部を有し上記パレットに固定された固定部材と、この固定部材の収容部に弾性部材を介して弾性変位可能に設けられた上記物品のキャスタが載る可動部材とによって構成されていることを特徴とする請求項１記載の物品の搬送装置。
【請求項３】
上記パレットの所定方向の一端部の幅方向両端部には上下方向に沿って細長い取付け孔が形成された取付け片が設けられ、上記スロープ部材の一端部の幅方向両端部には上記取付け孔に回動可能かつ上下方向にスライド可能に係合した支軸が設けられていることを特徴とする請求項１記載の物品の搬送装置。
【発明の詳細な説明】
【技術分野】
【０００１】
この発明はたとえば複写機などのように比較的高重量であって、下面に走行用のキャスタを備えた物品を搬送するための物品の搬送装置に関する。
【背景技術】
【０００２】
たとえば重量が数百キロ程度の大型の複写機などのような物品を搬送する場合、搬送装置としてのパレットが用いられる。すなわち、上記物品はパレット上に載置され、このパレットをフォークリフトによってトラックの荷台に載せて搬送するようにしている。
【０００３】
パレットに物品を載せる場合、高重量の物品にはキャスタが設けられているから、このキャスタによって物品を走行させて上記パレットに載せるようにしている。その場合、パレットの上面は所定の高さを有するから、その上面にキャスタを載せるには、パレットの一側にスロープ部材を設置し、このスロープ部材を利用して物品のキャスタを走行させてパレットの上面に載せるようにしている。
【０００４】
パレット上に物品を載せたならば、このパレットと物品とを梱包材である、ロープなどによって固縛して一体化する。それによって、パレットをフォークリフトなどで取り扱っても、物品がパレットから落ちないようにしている。  
従来、上記パレットとスロープ部材とは別体となっており、物品をパレット上に載せるときに、スロープ部材をパレットの一側に設置するようにしていた。スロープ部材はパレットに物品を載せるときだけでなく、パレットから物品を降ろすときにも必要となる。
【発明の開示】
【発明が解決しようとする課題】
【０００５】
このように、スロープ部材がパレットと別体であると、物品の搬送時にスロープ部材をパレットとともに持ち歩かなければならない。そのため、物品の搬送時にはスロープ部材を保管しておかなければならないからそのためのスペースを確保しなければならないなどのことがあったり、スロープ部材を忘れたり、紛失してしまうなどのこともある。
【０００６】
また、パレットに載せられた物品を、このパレットにロープによって固縛するだけでは、物品をパレットに強固に固定することができないということがある。とくに物品の高さが高い場合には、パレットをフォークリフトなどによって取り扱っているときに、パレットに固縛された物品が転倒するという虞がある。
【０００７】
この発明は、スロープ部材をパレットと一体化してその取り扱いを容易にするとともに、パレットに物品を固定する際、スロープ部材を利用することで、物品を強固に固定することができるようにした物品の搬送装置を提供することにある。
【課題を解決するための手段】
【０００８】
この発明は、キャスタ付きの物品を搬送するための物品の搬送装置において、
パレットと、
このパレットの上面に所定方向に沿って設けられた一対の第１のレール部材と、
一端部が上記パレットの所定方向の一端部に回動可能に連結され上面を上記パレットの上面に対向させた重合状態と上記一端部を支点として他端がパレットの上面よりも低く傾斜する傾斜状態との間で回動するスロープ部材と、
このスロープ部材の上面に設けられスロープ部材を傾斜状態に回動させたときに上記一対の第１のレール部材に一端が対向位置する一対の第２のレール部材と、
上記スロープ部材をほぼ垂直に起立させた状態で、このスロープ部材を上記パレットに連結して回動不能に保持する連結手段とを具備し、
上記物品は、上記スロープ部材が傾斜した状態で上記キャスタによって走行させて第２のレール部材から第１のレール部材に載せられた後、ほぼ垂直に起立させて保持された上記スロープ部材に梱包材によって固定されることを特徴とする物品の搬送装置にある。
【０００９】
上記第１のレール部材は、上面に開放した収容部を有し上記パレットに固定された固定部材と、この固定部材の収容部に弾性部材を介して弾性変位可能に設けられた上記物品のキャスタが載る可動部材とによって構成されていることが好ましい。
【００１０】
上記パレットの所定方向の一端部の幅方向両端部には上下方向に沿って細長い取付け孔が形成された取付け片が設けられ、上記スロープ部材の一端部の幅方向両端部には上記取付け孔に回動可能かつ上下方向にスライド可能に係合した支軸が設けられていることが好ましい。
【発明の効果】
【００１１】
この発明によれば、パレットの一端部にスロープ部材を所定の範囲の角度で回動可能に連結したため、スロープ部材をパレットと一体的に取り扱うことができるばかりか、スロープ部材をほぼ垂直に起立させた状態で回動不能に保持できるため、起立したスロープ部材を利用して物品を強固に固定することが可能となる。
【発明を実施するための最良の形態】
【００１２】
以下、この発明の一実施の形態を図面を参照して説明する。
【００１３】
図１はこの発明の梱包装置の斜視図を示し、この梱包装置はパレット１を備えている。このパレット１は平面形状が矩形状で、図示しないフォークリフトの爪を係合させることができる立体構造に形成されたベースフレーム２を有する。このベースフレーム２の上面には所定間隔で平行に離間した一対の第１のレール部材３が所定方向に沿い、かつその所定方向の全長にわたって設けられている。
【００１４】
上記第１のレール部材３は、図６に示すように鋼板やアルミニウム板などの金属板をほぼＵ字状に曲成した固定部材４を有する。この固定部材４は両側辺が幅方向内方に向かってＬ字状に折曲された押え部５に形成されていて、一対の側辺間は上面が開放した収容部６になっている。
【００１５】
上記固定部材４はベースフレーム２の上面に固定されている。この固定部材４の収容部６にはウレタンフォームなどのシート状の弾性部材７が全長にわたって設けられている。この弾性部材７の上面には帯板状の可動部材８が設けられている。この可動部材８の幅方向両端部の上面は上記押え部５によって保持されている。それによって、上記可動部材８は、上記弾性部材７によって収容部６内で弾性的に変位可能に保持されている。
【００１６】
上記ベースフレーム２の周辺部のうち、第１のレール部材３の一端が位置する一側を除く三側は側部フレーム１１によって囲まれている。この側部フレーム１１の上端はベースフレーム２の上面よりも上方に突出している。
【００１７】
上記ベースフレーム２の一側に位置する、上記側部フレーム１１の先端面には、それぞれＬ字状の取付け片１２が一辺をねじ１３（図１に示す）によって固定されている。各取付け片１２の他辺にはそれぞれ上下方向に細長い取付け孔１４が形成されている。
【００１８】
一対の取付け片１２にはスロープ部材１６が回動可能に連結されている。スロープ部材１６は上記ベースフレーム２の上面とほぼ同じ大きさの矩形枠状に形成されたスロープフレーム１７を有する。
【００１９】
このスロープフレーム１７の一端部の幅方向両端にはそれぞれ支軸１８が突設されている。この支軸１８は上記取付け孔１４に回動可能かつ長手方向に沿ってスライド可能に係合している。それによって、スロープフレーム１７は支軸１８を支点として回動可能となっている。
【００２０】
上記スロープフレーム１７の上面には、上記ベースフレーム２に連結された一端から他端にわたって一対の第２のレール部材２１が取付け固定されている。第２のレール部材２１は鋼板やアルミニウム板などの金属板を断面形状が上記第１のレール部材３とほぼ同じ幅寸法のＵ字状になるよう曲成されてなる。
【００２１】
一対の第２のレール部材２１は、ベースフレーム２に設けられた一対の第１のレール部材３と同じ間隔で設けられている。したがって、図５に示すようにスロープ部材１６をベースフレーム２の上面に重合させると、第２のレール部材２１が第１のレール部材３に重なることになる。
【００２２】
上記スロープ部材１６は、図１に示すように支軸１８によってベースフレーム２に連結された一端を支点として他端が下方に約２０度の角度で傾斜した傾斜状態と、図５に示すようにベースフレームの上面に重なる重合状態との間の約２００度の角度で回動可能となっている。
【００２３】
図３に示すようにスロープ部材１６が傾斜状態にあるとき、支軸１８は取付け片１２の取付け孔１４の下端に位置し、第２のレール部材２１の一端は第１のレール部材３の一端とほぼ同じ高さで対向位置する。
【００２４】
図５に示すようにスロープ部材１６を傾斜状態から回転させてベースフレーム２の上面に重合するよう回転させると、上記支軸１８は取付け孔１４の下端から上端に向かってスライドする。
【００２５】
すなわち、スロープ部材１６が傾斜状態にあるとき、第２のレール部材２１の一端が第１のレール部材３の一端とほぼ同じ高さにある。そのため、スロープ部材１６をベース部材２の上面に重合させる重合状態に回転させる際、第２のレール部材２１の一端が第１のレール部材３の一端に競ってスロープ部材１６が回転できなくなる。
【００２６】
しかしながら、スロープ部材１６を回転可能に支持した支軸１８が取付け片１２の上下方向に沿って長い取付け孔１４に係合していることで、スロープ部材１６を回転させると、支軸１８が取付け孔１４に沿って上方へスライドする。そのため、スロープ部材１６を傾斜状態から重合状態へ円滑に回転させることができる。
【００２７】
上記ベースフレーム２の幅方向両端部で、幅方向と交差する奥行き方向の前端寄りの中途部には、それぞれ連結手段を構成する連結杆２３の基端部が軸２３ａによって回動可能に連結されている。連結杆２３の先端部には第１の連結孔２４が形成されている。上記スロープフレーム１７の幅方向両側には第２の連結孔２５が形成されて連結片２６が固着されている。
【００２８】
図４に示すように、上記スロープ部材１６を倒伏状態からほぼ垂直に起立させた状態で、上記連結杆２３を起立方向に回動させれば、その先端に形成された第１の連結孔２４を連結片２６の第２の連結孔２５に対向させることができる。したがって、連結杆２３とスロープ部材１６とを、第１、第２の連結孔２４，２５を介してねじ２７によって連結すれば、上記スロープ部材１６をほぼ垂直に起立した状態で回動不能に固定できる。
【００２９】
つぎに、上記構成の搬送装置を用いて物品を搬送する場合について説明する。物品２８はたとえば大型の複写機などであって、図３と図４に示すようにその下面の四隅部にはキャスタ２９が設けられている。
【００３０】
上記物品２８を搬送する場合、まず図３に示すようにスロープ部材１６をベースフレーム２に対して約２０度の角度で下方に傾斜した傾斜状態とし、先端を接地させる。そして、物品２８のキャスタ２９をスロープ部材１６に設けられた第２のレール部材２１に載せ、このスロープ部材１６に沿って押し上げる。それによって、キャスタ２９は第２のレール部材２１から第１のレール部材３に沿って転動するから、物品２８をパレット１上に載せることができる。
【００３１】
図４に示すように、物品２８をベースフレーム２上の所定の位置まで移動させたならば、キャスタ２９に設けられた図示せぬストッパによってキャスタ２９を移動不能に固定する。なお、パレット１上において物品２８を位置決めするために、第１のレール部材３の末端にストッパを設けるようにしてもよい。
【００３２】
ついで、スロープ部材１６をほぼ垂直な状態まで起立させたならば、このスロープ部材１６の幅方向両側に設けられた連結片２６に、ベースフレーム２の両側に設けられた連結杆２３の先端を連結固定する。それによって、スロープ部材１６はほぼ垂直に起立した状態で、回動不能に固定される。
【００３３】
スロープ部材１６を垂直に起立させたならば、スロープ部材１６と物品２８の側面との間に図４に鎖線で示す緩衝材３１を挟むとともに、この物品２８とスロープ部材１６とを梱包材としてのベルト３２によって固縛し、物品２８をパレット１と一体化する。それによって、物品２８をパレット１によってフォークリフトなどで搬送することができるようになる。
【００３４】
このように、スロープ部材１６をほぼ垂直な状態で回動不能に起立させて物品２８の一側面に位置させ、このスロープ部材１６に物品２８をベルト３２で固縛してパレット１と一体化するようにしたため、物品２８をパレット１に確実かつ強固に固定することができる。そのため、パレット１をフォークリフトなどによって搬送する際に、パレット１上の物品２８が揺れ動いたり、落下するなどのことを確実に防止することができる。
【００３５】
しかも、物品２８が載置されるパレット１の第１のレール部材３は、固定部材４と可動部材８との間に弾性部材７が設けられている。そのため、物品２８は第１のレール部材３によって弾性的に保持されるから、搬送中に物品２８に加わる衝撃を吸収することができる。
【００３６】
物品２８を目的の位置まで搬送し、その物品２８をパレット１から降ろす場合、先程と逆の手順で行なえばよい。つまり、スロープ部材１６に物品２８を固縛したベルト３２を解き、スロープ部材１６を図４に示す垂直状態から図３に示す傾斜状態に倒伏させる。
【００３７】
つぎに、キャスタ２９のストッパを外して回転可能な状態にしたならば、キャスタ２９を第１のレール部材３から第２のレール部材２１に沿って転動させる。それによって、物品２８をパレット１から降ろすことができる。
【００３８】
パレット１から物品２８を降ろしたならば、図５に示すようにスロープ部材１６をパレット１の上面に重合させてパレット１を回収する。それによって、パレット１の回収時にスロープ部材１６が邪魔になることがない。
【００３９】
このように、スロープ部材１６をパレット１と一体的に設けるようにしたから、スロープ部材１６をパレット１と別々に取り扱うということをせずにすむ。そのため、スロープ部材１６を利用して物品２８をパレット１に載せたり、パレット１から降ろす際の作業性を向上させることができる。
【００４０】
上記スロープ部材１６は、パレット１の取付け片１２に形成された長孔からなる取付け孔１４に、幅方向の両端部に設けられた支軸１８を回転及びスライド可能に係合させて連結されている。そのため、スロープ部材１６を図３に示す傾斜状態から図５に示す重合状態に回転させる際、第１のレール部材３と第２のレール部材２１との端部が競っても、上記支軸１８が取付け孔１４の上方へ逃げるから、上記スロープ部材１６をパレット１の上面に重合する状態に回転させることができる。
【図面の簡単な説明】
【００４１】
【図１】この発明の一実施の形態を示すスロープ部材を傾斜させた搬送装置の斜視図。
【図２】図１に示す搬送装置の平面図。
【図３】図１に示す搬送装置の側面図。
【図４】スロープ部材をほぼ垂直に起立させて物品をパレットに梱包した搬送装置の側面図。
【図５】スロープ部材をパレットの上面に重合させた搬送装置の側面図。
【図６】第１のレール部材の幅方向に沿う拡大断面図。
【符号の説明】
【００４２】
１…パレット、３…第１のレール部材、４…固定部材、７…弾性部材、８…可動部材、１６…スロープ部材、２１…第２のレール部材、２３…連結杆（連結手段）、２６…連結片（連結手段）、２８…物品、２９…キャスタ。
【図１】
2005271953.tif 000003
【図２】
2005271953.tif 000004
【図３】
2005271953.tif 000005
【図４】
2005271953.tif 000006
【図５】
2005271953.tif 000007
【図６】
2005271953.tif 000008